(57)【要約】【課題】信頼性のあるランキングを行い幅広い情報提供を行う情報提供Ｗｅｂサイトを提供する。【解決手段】ネットワークに接続され、前記ネットワークを介して送信される複数の投稿を受信し、前記複数の投稿を予め設定された区分に分類して公開するサーバと、前記ネットワークに接続され、前記ネットワークを介して前記公開された複数の投稿を閲覧する端末とを具備し、前記サーバは、前記公開された複数の投稿の各々に応じて前記ネットワークを介して送信された複数の応答投稿を受信し、前記サーバは、前記応答投稿の受信件数に基づいて、前記公開された複数の投稿の各々に順位を付け、前記公開された複数の投稿の各々と、前記順位とを対応させた公開情報を、前記ネットワークを介して情報公開サイトで公開する。【選択図】        図１
2004326289.tif 000002
【特許請求の範囲】
【請求項１】
ネットワークに接続され、前記ネットワークを介して送信される複数の投稿を受信し、前記複数の投稿を予め設定された区分に分類して公開するサーバと、
前記ネットワークに接続され、前記ネットワークを介して前記公開された複数の投稿を閲覧する端末と、
を具備し、
前記サーバは、前記公開された複数の投稿の各々に応じて前記ネットワークを介して送信された複数の応答投稿を受信し、
前記サーバは、前記応答投稿の受信件数に基づいて、前記公開された複数の投稿の各々に順位を付け、
前記公開された複数の投稿の各々と、前記順位とを対応させた公開情報を、前記ネットワークを介して公開する
情報公開サイト。
【請求項２】
請求項１に記載の情報公開サイトにおいて、
前記サーバは、前記応答投稿の受信件数データを格納するデータベースを具備し、
前記サーバは、前記ネットワークを介し送信された新たな応答投稿を受信し、
前記サーバは、前記受信に応答して、前記データベースに新規応答投稿の受信を通知し、
前記データベースは、前記通知に基づいて前記応答投稿の受信件数データを更新し、
前記サーバは前記更新された受信件数データに基づいて前記順位を公開する
情報公開サイト。
【請求項３】
請求項１または２に記載の情報公開サイトにおいて、
前記複数の投稿の各々は、投稿名データを含み、
前記データベースは、前記投稿名データを格納し、
前記サーバは、前記公開された複数の投稿の各々に応じて前記ネットワークを介して送信された複数の応答投稿を受信し、
前記サーバは、前記応答投稿の受信件数に基づいて、前記公開された複数の投稿の各々に順位を付け、
前記サーバは、前記公開された複数の投稿の各々の投稿名データと、前記順位とを対応させた公開情報を、前記ネットワークを介して公開する
情報公開サイト。
【請求項４】
請求項３に記載の情報公開サイトにおいて、
前記複数の投稿の各々は、投稿内容データを含み、
前記データベースは、前記投稿内容データを格納し、
前記端末は、前記ネットワークを介し前記サーバに前記投稿内容データの公開を要求し、
前記サーバは、前記要求に応答して前記データベースから前記投稿内容データを抽出し、前記抽出した投稿内容データを前記ネットワークを介し公開する
情報公開サイト。
【請求項５】
請求項１乃至４の何れか１項に記載の情報公開サイトにおいて、
前記サーバは、前記公開された複数の投稿の各々に応じて、前記ネットワークを介して送信された公開投稿削除要求を受信し、
前記公開投稿削除要求の受信件数と、前記複数の投稿の各々とを対応させた公開情報を、前記ネットワークを介して公開する
情報公開サイト。
【請求項６】
請求項５に記載の情報公開サイトにおいて、
前記サーバは、前記公開投稿削除要求の受信件数データを格納するデータベースを具備し、
前記サーバは、前記ネットワークを介し、新たな公開投稿削除要求を受信し、前記サーバは、前記新たな公開投稿削除要求の受信に応答して、前記データベースに新規削除要求の受信を通知し、
前記データベースは前記通知に基づいて、前記公開投稿削除要求の受信件数データを更新して新たな受信件数とし、
前記サーバは、前記新たな受信件数と前記投稿とを対応させた公開情報を、前記ネットワークを介して公開する
情報公開サイト。
【請求項７】
ネットワークを介して送信される複数の投稿を受信するステップと、
前記複数の投稿を予め設定された区分に分類するステップと、
前記複数の投稿の各々に応じて前記ネットワークを介して送信された複数の応答投稿を受信するステップと、
前記応答投稿の受信件数に基づいて、前記公開された複数の投稿の各々に順位を付けるステップと、
前記複数の投稿の各々と、前記順位とを対応させた公開情報を、前記ネットワークを介して前記区分に分類して公開するステップと、
を具備する方法をコンピュータにより実行可能なプログラム。
【請求項８】
請求項７に記載のプログラムにおいて、
前記応答投稿の受信件数データを格納するステップと、
前記ネットワークを介し送信された新たな応答投稿を受信するステップと、
前記受信に応答して、新規応答投稿の受信を通知するステップと、
前記通知に基づいて前記応答投稿の受信件数データを更新するステップと、
前記更新された受信件数データに基づいて前記順位を公開するステップと、
を具備する方法をコンピュータにより実行可能なプログラム。
【請求項９】
請求項８に記載のプログラムにおいて、
投稿名を含む複数の投稿を受信するステップと、
前記投稿名を格納するステップと、
前記公開された複数の投稿の各々に応じて前記ネットワークを介して送信された複数の応答投稿を受信するステップと、
前記応答投稿の受信件数に基づいて、前記公開された複数の投稿の各々に順位を付けるステップと、
前記公開された複数の投稿の各々の投稿名と、前記順位とを対応させた公開情報を、前記ネットワークを介して公開するステップと、
を具備する方法をコンピュータにより実行可能なプログラム。
【請求項１０】
請求項９に記載のプログラムにおいて、
投稿内容データ含む複数の投稿を受信するステップと、
前記投稿内容データを格納するステップと、
前記ネットワークを介し前記サーバに前記投稿内容データの公開を要求するステップと、
前記要求に応答して前記データベースから前記投稿内容データを抽出するステップと、
前記抽出した投稿内容データを前記ネットワークを介し公開するステップと、を具備する方法をコンピュータにより実行可能なプログラム。
【請求項１１】
請求項７乃至９の何れか１項に記載のプログラムにおいて、
前記公開された複数の投稿の各々に応じて、前記ネットワークを介して送信された公開投稿削除要求を受信するステップと、
前記公開投稿削除要求の受信件数と、前記複数の投稿の各々とを対応させた公開情報を、前記ネットワークを介して公開するステップと、
を具備する方法をコンピュータにより実行可能なプログラム。
【請求項１２】
請求項１１に記載のプログラムにおいて、
前記公開投稿削除要求の受信件数データを格納するステップと、
前記ネットワークを介し、新たな公開投稿削除要求を受信するステップと、
前記新たな公開投稿削除要求の受信に応答して、前記データベースに新規削除要求の受信を通知するステップと、
前記通知に基づいて、前記公開投稿削除要求の受信件数データを更新するステップと、
前記更新された前記公開投稿削除要求の受信件数データを新たな受信件数とするステップと、
前記新たな受信件数と前記複数の投稿の各々とを対応させた公開情報を、前記ネットワークを介して公開するステップと、
を具備する方法をコンピュータにより実行可能なプログラム。
【請求項１３】
ネットワークを介して送信される複数の投稿を受信する投稿受信部と、
前記複数の投稿を予め設定された区分に分類する分類部と、
前記複数の投稿の各々に応じて前記ネットワークを介して送信された複数の応答投稿を受信する応答投稿受信部と、
前記応答投稿の受信件数に基づいて、前記公開された複数の投稿の各々に順位を付ける順位部と、
前記複数の投稿の各々と、前記順位とを対応させた公開情報を、前記ネットワークを介して前記区分に分類して公開する公開部とを具備する
サーバ。
【請求項１４】
請求項１３に記載のサーバにおいて、
前記応答投稿の受信件数データを格納する格納部と、
前記ネットワークを介し送信された新たな応答投稿を受信する新規応答投稿受信部と、
前記受信に応答して、新規応答投稿の受信を通知する通知部と、
前記通知に基づいて前記応答投稿の受信件数データを更新する更新部とを具備する
サーバ。
【請求項１５】
請求項１４に記載のサーバにおいて、
前記投稿受信部は、投稿名を含む複数の投稿を受信し、
前記格納部は、前記投稿名を格納し、
前記公開部は、前記公開された複数の投稿の各々の投稿名と、前記順位とを対応させた公開情報を、前記ネットワークを介して公開する
サーバ。
【請求項１６】
請求項１５に記載のサーバにおいて、
前記格納部から前記投稿データを抽出する抽出部
を具備し、
前記投稿受信部は、投稿内容データを含む複数の投稿を受信し、
前記格納部は、前記投稿内容データを格納し、
前記抽出部は、前記格納部から前記投稿データを抽出し、
前記公開部は、前記抽出した投稿内容データを前記ネットワークを介し公開する
サーバ。
【請求項１７】
請求項１６に記載のサーバにおいて、
前記公開された複数の投稿の各々に応じて、前記ネットワークを介して送信された公開投稿削除要求を受信する削除要求受信部と、
前記公開投稿削除要求の受信件数と、前記複数の投稿の各々とを対応させた公開情報を、前記ネットワークを介して公開する削除件数公開部とを具備する
サーバ。
【請求項１８】
請求項１７に記載のサーバにおいて、
前記公開投稿削除要求の受信件数データを格納する削除要求格納部と、
前記ネットワークを介し、新たな公開投稿削除要求を受信する新規削除要求受信部と、
前記新たな公開投稿削除要求の受信に応答して、前記削除要求格納部に新規削除要求の受信を通知する新規削除要求通知部とを具備する
サーバ。
【発明の詳細な説明】
【０００１】
【発明の属する技術分野】
本発明は、インターネットなどの情報通信ネットワークを介して情報の公開を行うシステムに関する。
【０００２】
【従来の技術】
インターネット上に存在するさまざまなＷｅｂサイトにおいて、そのＷｅｂサイトの利用者から投稿された情報を公開し、多くの人と情報の共有を行う趣旨で開設されているＷｅｂサイトが存在する（以下、情報提供Ｗｅｂサイトと呼ぶ。）。このような情報提供Ｗｅｂサイトの中には、閲覧者からの投票を募り、その投票をもとに公開した情報にランキングをつけ、投稿者の情報提供意欲の増加を促し、よりいっそう有意義な情報を収集するシステムが存在する（例えば、特許文献１参照。）。
【０００３】
一般的に、このような情報提供Ｗｅｂサイトで利用される投票方法は、情報提供Ｗｅｂサイトで公開している公開情報の表示画面にラジオボタン等の投票用ボタンを設け、閲覧者は公開情報に興味を示した場合に、その公開情報に対応する投票用ボタンを選択して投票する形態がとられている。公開情報の表示画面に設けられた投票用ボタンを用いる投票方法は、投票者が興味を示した情報に対応する投票用ボタンをクリックするだけで投票ができるので、公開された情報に興味を示した閲覧者はすぐに投票することができ、インターネットにおける人気ランキング付き情報提供Ｗｅｂサイトの普及に多いに貢献している。
【０００４】
また、このような情報提供Ｗｅｂサイトでは、掲示板を併設している例が見受けられ、多くの場合、投票のシステムと掲示板のシステムはそれぞれ独立している。公開情報にランキングを付ける情報提供Ｗｅｂサイトの利用者は、公開されている情報に全て目を通さなくても、どの情報が利用者に支持されているかを知ることができ、併設された掲示板を通してその情報に対する他の利用者の反応を知ることができる。
【０００５】
従来普及している人気ランキング付き情報提供Ｗｅｂサイトは、最も人気のある候補をすばやく選び出すことができ、情報化社会における情報の即時性と言う点で適している。最も人気のある候補をすばやく選び出すだけでなく、２位以下を含めた実情に則した正確な人気をあらわすバロメーターを備えた信頼性のあるランキングを行い、幅広い情報提供を行う情報提供Ｗｅｂサイトの普及が望まれる。
【０００６】
また、情報の提供者に対して、提供した情報が具体的にどのような長所があって得票に結びついているのかを伝え、さらなる情報提供意欲の増加を促し、信頼性のあるランキングを行う情報提供Ｗｅｂサイトの普及が望まれる。
【０００７】
さらに、人気ランキングに掲示板が併設されている場合、情報提供者によって投稿された公開情報に異論がある閲覧者は、その公開情報に異論を唱える機会を与え、より信頼性のある情報を公開する情報提供Ｗｅｂサイトの普及が望まれる。
【０００８】
【特許文献１】
特開２００２−２４６８０号公報
【発明が解決しようとする課題】
本発明が解決しようとする課題は、最も人気のある候補をすばやく選び出すだけでなく、２位以下を含めた実情に則した正確な人気をあらわすバロメーターを備えた信頼性のあるランキングを行い幅広い情報提供を行う情報提供Ｗｅｂサイトを提供することにある。
【０００９】
また、本発明が解決しようとする他の課題は、情報の提供者に対して、提供した情報が具体的にどのような長所があって得票に結びついているのかを伝え、さらなる情報提供意欲の増加を促し、信頼性のあるランキングを行う情報提供Ｗｅｂサイトを提供することにある。
【００１０】
さらに、本発明が解決しようとする他の課題は、人気ランキングに掲示板が併設されている場合、情報提供者によって投稿された公開情報に異論がある閲覧者は、その公開情報に異論を唱える機会を与え、より信頼性のある情報を公開する情報提供Ｗｅｂサイトを提供することにある。
【００１１】
【課題を解決するための手段】
以下に、［発明の実施の形態］で使用される番号を用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【００１２】
ネットワーク（１０）に接続され、前記ネットワーク（１０）を介して送信される複数の投稿（５１）を受信し、前記複数の投稿（５１）を予め設定された区分（２１ａ１）に分類して公開するサーバ（２０）と、前記ネットワーク（１０）に接続され、前記ネットワーク（１０）を介して前記公開された複数の投稿を閲覧する端末（６０）とを具備し、前記サーバ（２０）は、前記公開された複数の投稿の各々に応じて前記ネットワーク（１０）を介して送信された複数の応答投稿を受信し、前記サーバ（２０）は、前記応答投稿の受信件数（２１ｃ２）に基づいて、前記公開された複数の投稿の各々に順位を付け、前記公開された複数の投稿の各々と、前記順位とを対応させた公開情報を、前記ネットワーク（１０）を介して情報公開サイト（２１）で公開する。
【００１３】
その情報公開サイト（２１）において、前記サーバ（２０）は、前記応答投稿の受信件数データ（４３）を格納するデータベースを具備し、前記サーバ（２０）は、前記ネットワーク（１０）を介し新たな応答投稿を受信し、前記サーバ（２０）は、前記受信に応答して、前記データベースに新規応答投稿の受信を通知し、前記データベースは、前記通知に基づいて前記応答投稿の受信件数データ（４３）を更新し、前記サーバ（２０）は前記更新された受信件数データ（４３）に基づいて前記順位を公開する。
【００１４】
さらにその情報公開サイト（２１）において、前記複数の投稿の各々は、投稿名データを含み、前記データベースは、前記投稿名データを格納し、前記サーバ（２０）は、前記公開された複数の投稿の各々に応じて前記ネットワーク（１０）を介して送信された複数の応答投稿を受信し、前記サーバ（２０）は、前記応答投稿の受信件数（２１ｃ２）に基づいて、前記公開された複数の投稿の各々に順位を付け、前記サーバ（２０）は、前記公開された複数の投稿の各々の投稿名データと、前記順位とを対応させた公開情報を、前記ネットワーク（１０）を介して公開する。
【００１５】
さらに、その情報公開サイト（２１）において、前記複数の投稿（５１）の各々は、投稿内容データ（５３）を含み、前記データベースは、前記投稿内容データ（５３）を格納し、前記端末（６０）は、前記ネットワーク（１０）を介し前記サーバ（２０）に前記投稿内容データ（５３）の公開を要求し、前記サーバ（２０）は、前記要求に応答して前記データベースから前記投稿内容データ（５３）を抽出し、前記抽出した投稿内容データ（５３）を前記ネットワーク（１０）を介し公開する。
【００１６】
さらにその情報公開サイト（２１）において、前記サーバ（２０）は、前記公開された複数の投稿の各々に応じて、前記ネットワーク（１０）を介して送信された公開投稿削除要求（２１ｄ３）を受信し、前記公開投稿削除要求（２１ｄ３）の受信件数（２１ｄ２）と、前記複数の投稿の各々とを対応させた公開情報を、前記ネットワーク（１０）を介して公開する。
【００１７】
さらにその情報公開サイト（２１）において、前記サーバ（２０）は、前記公開投稿削除要求の受信件数データを格納するデータベースを具備し、前記サーバ（２０）は、前記ネットワーク（１０）を介し、新たな公開投稿削除要求（２１ｄ３）を受信し、前記サーバ（２０）は、前記新たな公開投稿削除要求（２１ｄ３）の受信に応答して、前記データベースに新規削除要求の受信を通知し、前記データベースは前記通知に基づいて、前記公開投稿削除要求（２１ｄ３）の受信件数データを更新して新たな受信件数（２１ｄ２）とし、前記サーバ（２０）は、前記新たな受信件数（２１ｄ２）と前記投稿とを対応させた公開情報を、前記ネットワーク（１０）を介して公開する。
【００１８】
さらにその情報公開サイト（２１）において、前記端末（６０）は、前記ネットワーク（１０）を介し前記複数の投稿（５１）の少なくとも一つを送信する。
【００１９】
さらにその情報公開サイト（２１）において、前記端末（６０）は、前記ネットワーク（１０）を介し、新たな応答投稿を送信する。
【００２０】
さらにその情報公開サイト（２１）において、前記端末（６０）は、前記ネットワーク（１０）を介し、前記サーバ（２０）公開した公開情報を閲覧する。
【００２１】
さらにその情報公開サイト（２１）において、前記端末（６０）は、前記ネットワーク（１０）を介し、前記閲覧する公開情報に対する公開投稿削除要求（２１ｄ３）を送信する。
【００２２】
その情報公開サイト（２１）を実現するコンピュータプログラムであって、ネットワーク（１０）を介して送信される複数の投稿（５１）を受信するステップと、前記複数の投稿（５１）を予め設定された区分（２１ａ１）に分類するステップと、前記複数の投稿の各々に応じて前記ネットワーク（１０）を介して送信された複数の応答投稿を受信するステップと、前記応答投稿の受信件数（２１ｃ２）に基づいて、前記公開された複数の投稿の各々に順位を付けるステップと、前記複数の投稿の各々と、前記順位とを対応させた公開情報を、前記ネットワーク（１０）を介して前記区分（２１ａ１）に分類して公開するステップとを具備する方法を、そのコンピュータプログラムにより実行する。
【００２３】
そのプログラムにおいて、前記応答投稿の受信件数データ（４３）を格納するステップと、前記ネットワーク（１０）を介し送信された新たな応答投稿を受信するステップと、前記受信に応答して、新規応答投稿の受信を通知するステップと、前記通知に基づいて前記応答投稿の受信件数データ（４３）を更新するステップと、前記更新された受信件数データ（４３）に基づいて前記順位を公開するステップとを具備する方法を、そのコンピュータプログラムにより実行する。
【００２４】
さらに、そのプログラムにおいて、投稿名を含む複数の投稿を受信するステップと、前記投稿名を格納するステップと、前記公開された複数の投稿の各々に応じて前記ネットワーク（１０）を介して送信された複数の応答投稿を受信するステップと、前記応答投稿の受信件数（２１ｃ２）に基づいて、前記公開された複数の投稿の各々に順位を付けるステップと、前記公開された複数の投稿の各々の投稿名と、前記順位とを対応させた公開情報を、前記ネットワーク（１０）を介して公開するステップとを具備する方法を、そのコンピュータプログラムにより実行する。
【００２５】
さらに、そのプログラムにおいて、投稿内容データ（５３）含む複数の投稿を受信するステップと、前記投稿内容データ（５３）を格納するステップと、前記ネットワーク（１０）を介し前記サーバ（２０）に前記投稿内容データ（５３）の公開を要求するステップと、前記要求に応答して前記データベースから前記投稿内容データ（５３）を抽出するステップと、前記抽出した投稿内容データ（５３）を前記ネットワーク（１０）を介し公開するステップとを具備する方法を、そのコンピュータプログラムにより実行する。
【００２６】
さらに、そのプログラムにおいて、前記公開された複数の投稿の各々に応じて、前記ネットワーク（１０）を介して送信された公開投稿削除要求（２１ｄ３）を受信するステップと、前記公開投稿削除要求（２１ｄ３）の受信件数（２１ｄ２）と、前記複数の投稿の各々とを対応させた公開情報を、前記ネットワーク（１０）を介して公開するステップとを具備する方法を、そのコンピュータプログラムにより実行する。
【００２７】
さらに、そのプログラムにおいて、前記公開投稿削除要求（２１ｄ３）の受信件数データを格納するステップと、前記ネットワーク（１０）を介し、新たな公開投稿削除要求（２１ｄ３）を受信するステップと、前記新たな公開投稿削除要求（２１ｄ３）の受信に応答して、前記データベースに新規削除要求の受信を通知するステップと、前記通知に基づいて、前記公開投稿削除要求（２１ｄ３）の受信件数データを更新するステップと、前記更新された前記公開投稿削除要求（２１ｄ３）の受信件数データを新たな受信件数（２１ｄ２）とするステップと、前記新たな受信件数（２１ｄ２）と前記複数の投稿の各々とを対応させた公開情報を、前記ネットワーク（１０）を介して公開するステップと、を具備する方法を、そのコンピュータプログラムにより実行する。
【００２８】
この情報サイトを構築するにあたって、ネットワーク（１０）を介して送信される複数の投稿（５１）を受信する投稿受信部と、前記複数の投稿（５１）を予め設定された区分（２１ａ１）に分類する分類部と、前記複数の投稿の各々に応じて前記ネットワークを介して送信された複数の応答投稿を受信する応答投稿受信部と、前記応答投稿の受信件数（２１ｃ２）に基づいて、前記公開された複数の投稿の各々に順位を付ける順位部と、前記複数の投稿の各々と、前記順位とを対応させた公開情報を、前記ネットワーク（１０）を介して前記区分（２１ａ１）に分類して公開する公開部とを具備するサーバ（２０）を用いる。
【００２９】
そのサーバ（２０）において、前記応答投稿の受信件数データ（４３）を格納する格納部と、前記ネットワーク（１０）を介し送信された新たな応答投稿を受信する新規応答投稿受信部と、前記受信に応答して、新規応答投稿の受信を通知する通知部と、前記通知に基づいて前記応答投稿の受信件数データ（４３）を更新する更新部とを具備する。
【００３０】
さらにそのサーバ（２０）において、前記受信部は、投稿名を含む複数の投稿を受信し、前記格納部は、前記投稿名を格納し、前記公開部は、前記公開された複数の投稿の各々の投稿名と、前記順位とを対応させた公開情報を、前記ネットワーク（１０）を介して公開する。
【００３１】
さらにそのサーバ（２０）において、前記格納部から前記投稿データ（５３）を抽出する抽出部を具備し、前記受信部は、投稿内容データ（５３）含む複数の投稿を受信し、前記格納部は、前記投稿内容データ（５３）を格納し、前記抽出部は、前記格納部から前記投稿内容データ（５３）を抽出し、前記公開部は、前記抽出した投稿内容データを前記ネットワーク（１０）を介し公開する。
【００３２】
さらにそのサーバ（２０）において、前記公開された複数の投稿の各々に応じて、前記ネットワークを介して送信された公開投稿削除要求（２１ｄ３）を受信する削除要求受信部と、前記公開投稿削除要求（２１ｄ３）の受信件数（２１ｄ２）と、前記複数の投稿の各々とを対応させた公開情報を、前記ネットワーク（１０）を介して公開する削除件数公開部とを具備する。
【００３３】
さらにそのサーバ（２０）において、前記公開投稿削除要求（２１ｄ３）の受信件数データを格納する削除要求格納部と、前記ネットワークを介し、新たな公開投稿削除要求（２１ｄ３）を受信する新規削除要求受信部と、前記新たな公開投稿削除要求（２１ｄ３）の受信に応答して、前記削除要求格納部に新規削除要求の受信を通知する新規削除要求通知部とを具備する。
【００３４】
【発明の実施の形態】
以下に、図面を用いて本発明の実施の形態を述べる。
【００３５】
（実施例の構成）
図１は、本実施例の構成を示す構成図である。図１を参照すると、本実施例の情報公開サイトは、インターネットなどに代表される情報通信ネットワーク１０、その情報通信ネットワーク１０に接続され情報提供Ｗｅｂサイトを公開するＷｅｂサーバ２０、その情報通信ネットワーク１０に接続されたユーザ端末６０、情報提供Ｗｅｂサイトで公開する情報をカテゴリ毎に分類し格納するカテゴリデータベース３０、情報提供Ｗｅｂサイトで公開する情報にランキングを付けて表示するために必要なデータを格納するエントリーデータベース４０、情報提供Ｗｅｂサイト利用者から投稿された提供情報を格納する提供情報データベース５０で構成される。
【００３６】
本実施の形態中に述べるＷｅｂサイトとは、企業や個人単位で公開する複数のＷｅｂページのまとまりを表し、本実施の形態中に述べるホームページ２１とは、Ｗｅｂサイトににアクセスした場合に最初に表示されるＷｅｂページだけでなく、そこからリンクして表示される全てのＷｅｂページを表す。
【００３７】
Ｗｅｂサーバ２０は、情報通信ネットワーク１０上でＷＷＷ（Ｗｏｒｌｄ  Ｗｉｄｅ  Ｗｅｂ）を構築するコンピュータである。情報通信ネットワーク１０に接続されたパーソナルコンピュータなどの情報処理端末からの要求に応じてＨＴＭＬファイル、動画、音声データなどを送信する。また、情報通信ネットワーク１０に接続されたパーソナルコンピュータなどの情報処理端末から送信された情報を情報通信ネットワーク１０を介して受信する。
【００３８】
ユーザ端末６０は、パーソナルコンピュータなどの情報処理端末である。情報通信ネットワーク１０に接続され、情報通信ネットワーク１０を介しＷｅｂサーバ２０に接続し、そのＷｅｂサーバ２０で公開されている情報提供サイトで公開される公開情報の閲覧を行う。また、その情報提供サイトで公開してもらいたい情報を情報通信ネットワーク１０を介し送信する。
【００３９】
カテゴリデータベース３０は、Ｗｅｂサーバ２０が備えるデータベースである。情報提供Ｗｅｂサイト利用者から投稿された情報を、閲覧者が探しやすいように整理・分類するための大まかな区分を定めるカテゴリ情報３１と、各カテゴリ毎に整理・分類された投稿情報を、さらに、テーマにそって検索できるように、テーマ毎に整理・分類するための細かな区分を定めるランキングテーマ３２を有する。
【００４０】
エントリーデータベース４０は、閲覧者が実際に公開情報を閲覧する選択したランキングテーマ３２にどのような情報が投稿されているのかをエントリーとして一覧表示するためのエントリー情報４１を記憶する。エントリー情報４１データは、当該エントリーの識別子であるエントリーＩＤ４２、当該エントリーに投稿された提供情報数を集計したポイント４３、当該エントリーが属するカテゴリー・ランキングテーマ３２を示す所属４４を有する。
【００４１】
提供情報データベース５０は、投稿者から実際に投稿された情報を、投稿者毎に提供情報５１として記憶する。提供情報５１は、投稿がどのエントリーに属するかを示すエントリーＩＤ４２と、実際に投稿された情報の本文に相当する提供情報本文５３と、その提供情報本文５３に対する閲覧者からの削除要求データ５４を有する。
【００４２】
情報通信ネットワーク１０は、インターネットに代表される情報通信網であり、有線または無線の通信回路を使用してデータの送受信を行う。
【００４３】
次に、情報提供Ｗｅｂサイトが公開するホームページ２１をユーザ端末６０のＷｅｂブラウザを用いて表示する場合の公開情報表示画面の構成について述べる。
【００４４】
図２は、カテゴリツリー表示画面２１ａである。情報提供Ｗｅｂサイト利用者が情報提供Ｗｅｂサイトにアクセスした場合に最初にユーザ端末６０の画面に表示される。図２を参照すると、カテゴリツリー表示画面２１ａは、公開情報をカテゴリ毎に分類して、カテゴリツリー２１ａ１のように階層的に表示する。
【００４５】
図３は、ランキングテーマ一覧表示画面２１ｂである。情報提供Ｗｅｂサイト利用者がカテゴリツリー表示画面２１ａに分類表示されたカテゴリツリー２１ａ１の中の一つを選択した場合に表示される。図３には、「医療・健康・癒し」カテゴリでさらに、「病院・診療所」カテゴリを選択した場合を例に取り図示する。図３を参照すると、ランキングテーマ一覧表示画面２１ｂは、閲覧者が選択したカテゴリのカテゴリツリー２１ａ１と、そのカテゴリに含まれる複数のランキングテーマ２１ｂ１の各々２１ｂ２を表示する。
【００４６】
図４は、エントリー一覧表示画面２１ｃである。情報提供Ｗｅｂサイト利用者がランキングテーマ一覧表示画面２１ｂに表示されたランキングテーマ２１ｂ１の中の一つを選択した場合に表示される。図４にはランキングテーマ一覧表示画面２１ｂで「眼科」テーマを選択した場合を例に取り図示する。図４を参照すると、エントリー情報一覧表示画面２１ｃは、カテゴリツリー２１ａ１と、ランキングテーマにランキングされたエントリーの一覧と、「新規ノミネート」ボタン２１ｃ１と、エントリー毎の得票数２１ｃ２とを表示する。
【００４７】
図５は、提供情報表示画面２１ｄである。情報提供Ｗｅｂサイト利用者がエントリー一覧表示画面２１ｃに表示されたエントリーの中の一つを選択した場合に表示される。図５にはエントリー一覧表示画面２１ｃで「きよさわ眼科」エントリーを選択した場合にを例に取り図示する。図５を参照すると、ユーザ端末６０の画面にＷｅｂブラウザを使用して表示された提供情報表示画面２１ｄは、カテゴリツリー２１ａ１と、削除要求件数２１ｄ２と、「この情報に返信する」ボタン２１ｄ１と、削除要求ボタン２１ｄ３とを表示する。
【００４８】
図６は、新規エントリーノミネート画面２１ｅである。情報提供Ｗｅｂサイト利用者が既存のランキングに新規の情報を追加し、この新規情報をランキングに参加させる場合に表示される、図６には「眼科」テーマに新規エントリーをノミネートする場合を例に図示する。図６を参照すると、新規エントリーノミネート画面２１ｅは、ランキングに新規エントリーを参加させるための必要な情報を入力するための入力部を表示する。入力項目は、エントリーする情報の名称、所在地、エントリー時に表示される件名、ランキングのポイント４３となる詳細情報などである。
【００４９】
図７は情報提供Ｗｅｂサイト利用者が既にランキングに参加しているエントリーに、提供情報を追加投稿する場合の追加投稿画面２１ｆである。図７を参照すると、追加投稿画面２１ｆは、追加投稿に必要な情報を入力するための入力部と、「送信」ボタンと、「キャンセル」ボタンを備える。追加投稿の投稿者は、投稿者名、投稿提供情報の件名、追加投稿提供情報を入力部から入力し、全ての入力が完了したら「送信」ボタンをクリックし追加投稿を行う。
【００５０】
図８は、カテゴリデータベース３０の構成を示すカテゴリデータテーブルである。情報提供Ｗｅｂサイトで公開する公開情報を、閲覧者が探しやすいように整理・分類するための大まかな区分を定めるカテゴリ情報データ３１と、各カテゴリ毎に整理・分類された投稿情報を、さらに、テーマにそって検索できるように、テーマ毎に整理・分類するための細かな区分を定めるランキングテーマ３２とをデータテーブルの形式で格納する。
【００５１】
図９は、エントリーデータベース４０の構成を示すエントリーデータテーブルである。提供情報表示画面２１ｄを表示するためのエントリー情報データを記憶する。エントリー情報データは、当該エントリーの識別子であるエントリーＩＤ４２と、当該エントリーに投稿された提供情報数を集計したポイント４３と、当該エントリーが属するカテゴリ情報３１・ランキングテーマ３２を示す所属４４とをデータテーブルの形式で格納する。
【００５２】
図１０は、提供情報データベース５０の構成を示す提供情報データテーブルである。提供情報表示画面２１ｄを表示するための投稿者から実際に投稿された情報を、投稿者毎に提供情報データとして記憶する。提供情報５１は、提供情報を投稿した投稿者名と、投稿がどのエントリーに属するかを示すエントリーＩＤ４２と、実際に投稿された情報の本文に相当する提供情報本文５３と、その提供情報に対する閲覧者からの削除要求データ５４とをデータテーブルの形式で格納する。
【００５３】
（実施例の動作）
次に、本実施例の動作について流れ図を用いて述べる。まず、本実施例の情報提供Ｗｅｂサイト利用者が、この情報提供Ｗｅｂサイトで公開された公開情報を閲覧する場合の動作について述べる。本実施例の動作では、情報通信ネットワーク１０にインターネットを使用し、公開情報の表示にユーザ端末６０のＷｅｂブラウザを使用して表示する例を述べるが、これは、本発明の情報通信ネットワーク１０、公開情報表示用アプリケーションを限定するためのものではない。
【００５４】
図１１は、本実施例の情報提供Ｗｅｂサイト利用者が、この情報提供Ｗｅｂサイトで公開された公開情報を閲覧する場合の前半部分の動作を示す流れ図であり、図１２は、本実施例の情報提供Ｗｅｂサイト利用者が、この情報提供Ｗｅｂサイトで公開された公開情報を閲覧する場合の後半部分の動作を示す流れ図である。
【００５５】
図１１を参照すると、Ｆ１０１において、本実施例の情報提供Ｗｅｂサイトの情報閲覧者（以下、閲覧者と称す。）は、ユーザ端末６０を使用し、情報の閲覧を開始する。ユーザ端末６０はインターネットを介してＷｅｂサーバ２０にアクセスし、ユーザ端末６０で公開情報を閲覧するためのホームページ２１表示用データを要求する。Ｗｅｂサーバ２０は、Ｆ１０３において、ユーザ端末６０からのホームページ２１表示用データ要求を受信する。ホームページ２１表示用データ要求を受信したＷｅｂサーバ２０は、この受信した要求に応答して、カテゴリデータベース３０に格納されたカテゴリ情報３１の通知を要求する。
【００５６】
Ｆ１０５において、カテゴリ情報３１の通知を要求されたカテゴリデタベース３０は、要求されたカテゴリ情報３１をデータベース内から抽出し、抽出したカテゴリ情報３１をＷｅｂサーバ２０に通知する。Ｗｅｂサーバ２０は、Ｆ１０７において、カテゴリデータベース３０から通知されたカテゴリ情報３１に基づいてカテゴリツリー２１ａ１を生成する。Ｗｅｂサーバ２０は、さらに、生成したカテゴリツリー２１ａ１をＷｅｂブラウザで表示できる形式に変換しインターネットを介してユーザ端末６０に送信する。さらに、Ｆ１０９において、ユーザ端末６０は、インターネットを介してＷｅｂサーバ２０から送信されたカテゴリツリー２１ａ１を受信し、受信したカテゴリツリー２１ａ１をユーザ端末６０のＷｅｂブラウザを使用して画面に表示する。
【００５７】
Ｆ１１１において、閲覧者はユーザ端末６０のＷｅｂブラウザを使用して画面に表示されたカテゴリツリー２１ａ１の中から、自分が閲覧したい情報を含むカテゴリを選択する。選択方法は、一般的に用いられる、画面上の選択部分及びその周辺にマウスカーソルを合わせクリックする方法を用いる。ユーザ端末６０は、画面上に表示されたカテゴリがクリックされたことをキーに、Ｗｅｂサーバ２０にカテゴリ選択が行われたこと伝える情報を選択カテゴリ情報３１としてインターネットを介して送信する。さらに、Ｆ１１３において、Ｗｅｂサーバ２０は、ユーザ端末６０から送信された選択カテゴリ情報３１を受信する。選択カテゴリ情報３１を受信したＷｅｂサーバ２０は、ユーザ端末６０で選択されたカテゴリに対応するランキングの一覧を表示するために必要なランキングテーマ３２の通知をカテゴリデータベース３０に要求する。
【００５８】
Ｆ１１５において、カテゴリデータベース３０は、Ｗｅｂサーバ２０から要求されたランキングテーマを、カテゴリデータベース３０内から抽出し、抽出したランキングテーマ３２をＷｅｂサーバ２０へ通知する。Ｗｅｂサーバ２０は、Ｆ１１７において、カテゴリデータベース３０から通知されたランキングテーマ３２を受信し、受信したランキングテーマ３２をユーザ端末６０のＷｅｂブラウザで表示できる形式に変更し、インターネットを介してユーザ端末６０に送信する。さらに、Ｆ１１９において、ユーザ端末６０は、Ｗｅｂサーバ２０から送信されたランキングテーマ３２をインターネットを介して受信し、受信したランキングテーマ３２をユーザ端末６０の画面上にＷｅｂブラウザを使用して一覧形式で表示する。
【００５９】
図１２を参照すると、Ｆ１２１において、閲覧者は一覧形式で表示された受信したランキングテーマ３２の中から、閲覧を希望するランキングテーマ３２を選択する。選択方法は、一般的に用いられる、画面上の選択部分及びその周辺にマウスカーソルを合わせクリックする方法を用いる。ユーザ端末６０は、画面上に表示されたランキングテーマ３２がクリックされたことをキーに、Ｗｅｂサーバ２０にランキングテーマ３２の選択が行われたこと伝える情報を選択ランキングテーマ３２としてインターネットを介して送信する。さらに、Ｆ１２３において、Ｗｅｂサーバ２０は、ユーザ端末６０から送信された選択ランキングテーマ３２を受信する。選択ランキングテーマ３２を受信したＷｅｂサーバ２０は、受信した選択ランキングテーマ３２に対応するエントリー情報４１を表示するために必要なエントリー情報４１の通知を、受信した選択ランキングテーマ３２に含まれる所属４４をキーに、エントリーデータベース４０に要求する。
【００６０】
Ｆ１２５において、エントリーデータベース４０は、Ｗｅｂサーバ２０から要求された当該ランキングテーマ３２に属するエントリー情報４１をエントリーデータベース４０内から抽出し、抽出したエントリー情報４１をＷｅｂサーバ２０に通知する。Ｗｅｂサーバ２０は、Ｆ１２７において、エントリーデータベース４０から通知されたエントリー情報４１を受信し、受信したエントリー情報４１を、各エントリー情報４１が有するポイント４３をキーに並べ替えを行い、Ｗｅｂブラウザで表示可能な形式に変更し、インターネットを介してユーザ端末６０に送信する。さらに、Ｆ１２９において、ユーザ端末６０は、インターネットを介して送信されたエントリー情報４１を受信し、Ｗｅｂブラウザで表示する。
【００６１】
Ｆ１３１において、閲覧者は、ユーザ端末６０の画面上でＷｅｂブラウザを使用して人気ランキングの形で表示されたエントリー一覧の中から一つを選択する。選択方法は、一般的に用いられる、画面上の選択部分及びその周辺にマウスカーソルを合わせクリックする方法を用いる。ユーザ端末６０は、画面上に表示されたエントリーがクリックされたことをキーに、Ｗｅｂサーバ２０に、エントリーに対するエントリー選択が行われたことを伝える。エントリー選択が行われると、ユーザ端末６０は、選択されたエントリーを選択エントリー情報４１としてインターネットを介してＷｅｂサーバ２０に送信する。さらに、Ｆ１３３において、Ｗｅｂサーバ２０は、インターネットを介し選択エントリー情報４１を受信し、受信した選択エントリー情報４１に応答して、エントリーＩＤ４２をキーに提供情報データベース５０に提供情報要求を送信する。
【００６２】
Ｆ１３５において、提供情報データベース５０は、Ｗｅｂサーバ２０から受信した提供情報要求の当該エントリーに属する提供情報、および個々の提供情報に付随する削除要求データから削除要求件数をデータベース内から抽出し、抽出した提供情報・削除要求件数をＷｅｂサーバ２０に通知する。Ｗｅｂサーバ２０は、Ｆ１３７において、提供情報データベース５０から通知された提供情報・削除要求件数を受信し、受信した提供情報・削除要求件数をユーザ端末６０のＷｅｂブラウザで表示可能な形式に変更し、インターネットを介してユーザ端末６０に送信する。さらに、Ｆ１３９において、ユーザ端末６０は、Ｗｅｂサーバ２０から送信された提供情報・削除要求件数をインターネットを介して受信し、受信した提供情報・削除要求件数をユーザ端末６０の画面にＷｅｂブラウザを使用して表示する。その結果、ユーザ端末６０の画面上において図８に示すような提供情報が表示される。
【００６３】
Ｆ１４１において、閲覧者が閲覧した提供情報の内容に対して異議を唱える場合は、ユーザ端末６０のＷｅｂブラウザ上に表示される削除要求ボタンを押し、当該提供情報の削除を要求する。さらに、Ｆ１４３において、Ｗｅｂサーバ２０は、インターネットを介し削除要求ボタンが押されたことを受信すると、提供情報データベース５０にアクセスし、当該提供情報に付随する削除要求データを更新する。
【００６４】
続いて、情報提供Ｗｅｂサイト利用者が既存のランキングに新規の情報を追加し、この新規情報をランキングに参加させる場合について述べる。
【００６５】
図１３は、情報提供Ｗｅｂサイト利用者が既存のランキングに新規の情報を追加し、この新規情報をランキングに参加させる場合についての流れ図である。図１３を参照すると、Ｆ２０１において、本実施例の情報提供Ｗｅｂサイトの既存のランキングに新規の情報を追加し、この新規情報をランキングに参加させようとする利用者（以下、新規参加者と称す。）は、公開情報を閲覧する場合の動作と同様の手順でエントリー一覧を表示する。
【００６６】
Ｆ２０３において、新規参加者はユーザ端末６０の画面上でＷｅｂブラウザを使用して表示されたエントリー一覧の表示画面にある「新規ノミネート」ボタンをクリックする。ユーザ端末６０は「新規ノミネート」ボタンがクリックされたことをキーに、新規エントリーノミネート要求を送信する。新規エントリーノミネート要求は、ユーザ端末６０からインターネットを介し、Ｗｅｂサーバ２０に送信される。
【００６７】
Ｆ２０５において、Ｗｅｂサーバ２０はインターネットを介し、新規エントリーノミネート要求を受信する。新規エントリーノミネート要求を受信したＷｅｂサーバ２０は、受信した新規エントリーノミネート要求に応答して、ユーザ端末６０の画面上でＷｅｂブラウザを使用して新規エントリーノミネート画面を表示するための表示用データをインターネットを介して送信する。
【００６８】
Ｆ２０７において、ユーザ端末６０はインターネットを介して送信された表示用データを受信し、Ｗｅｂブラウザを使用して新規エントリーノミネート画面を表示する。新規参加者は、ユーザ端末６０に表示された新規エントリーノミネート画面で必要事項を入力し「登録」ボタンをクリックする。ユーザ端末６０は「登録」ボタンがクリックされたことをキーに、新規参加者が入力した情報をインターネットを介しＷｅｂサーバ２０に送信する。
【００６９】
Ｆ２０９において、Ｗｅｂサーバ２０は、ユーザ端末６０から送信された情報をインターネットを介して受信し、受信した新規エントリー情報４１に新規エントリーＩＤ４２を割当ててエントリーデータベース４０に登録する。
【００７０】
Ｆ２１１において、Ｗｅｂサーバ２０は、受信した新規エントリー情報４１に新規エントリーＩＤ４２を割当ててエントリーデータベース４０に登録すると同時に当該エントリーＩＤ４２および提供情報を格納した提供情報を提供情報データベース５０に登録する。
【００７１】
続いて、情報提供Ｗｅｂサイト利用者が既にランキングに参加しているエントリーに、提供情報を追加投稿する場合の動作について説明する。
【００７２】
図１４は情報提供Ｗｅｂサイト利用者が既にランキングに参加しているエントリーに、提供情報を追加投稿する場合の動作についての流れ図である。図１４を参照すると、Ｆ３０１において、本実施例の情報提供Ｗｅｂサイトにおいて、既にランキングに参加しているエントリーに、提供情報を追加投稿しようとする利用者（以下、追加投稿者と称す。）は、公開情報を閲覧する場合の動作と同様の手順で提供情報を表示する。
【００７３】
Ｆ３０３において、利用者が図８のユーザ端末６０のＷｅｂブラウザに表示された提供情報表示画面にある「この情報に返信する」ボタンをクリックする。ユーザ端末６０は提供情報表示画面にある「この情報に返信する」ボタンがクリックされたことをキーに、インターネットを介して追加投稿要求をＷｅｂサーバ２０に送信する。
【００７４】
Ｆ３０５において、Ｗｅｂサーバ２０は、インターネットを介しユーザ端末６０から送信された追加投稿要求を受信し、受信した追加投稿要求に応答して、ユーザ端末６０の画面上でＷｅｂブラウザを使用して追加投稿画面を表示するための追加投稿画面表示用データを送信する。
【００７５】
Ｆ３０７において、ユーザ端末６０は追加投稿画面表示用データを受信し、追加投稿画面を表示する。追加投稿者は表示された追加投稿画面で必要事項を入力し、必要事項の入力が完了したら「送信」ボタンをクリックする。ユーザ端末６０は「送信」ボタンがクリックされたことをキーに、入力された情報をインターネットを介し、Ｗｅｂサーバ２０に送信する。
【００７６】
Ｆ３０９において、Ｗｅｂサーバ２０は、ユーザ端末６０で入力された情報をインターネットを介し受信し、受信した入力情報を基に、エントリーデータベース４０の該当するエントリー情報４１のポイント４３を更新する。
【００７７】
Ｆ３１１において、Ｗｅｂサーバ２０は、受信した入力情報を基に該当するエントリー情報４１のポイント４３を更新すると同時に、エントリー情報４１に対する提供情報部分を抽出し、提供情報データベース５０の当該提供情報に格納する。
【００７８】
【発明の効果】
本発明は、最も人気のある候補をすばやく選び出すだけでなく、２位以下を含めた実情に則した正確な人気をあらわすバロメーターを備えた信頼性のあるランキングを行い幅広い情報提供を行う情報提供Ｗｅｂサイトの普及に効果がある。
【００７９】
また、情報の提供者に対して、提供した情報が具体的にどのような長所があって得票に結びついているのかを伝え、さらなる情報提供意欲の増加を促し、信頼性のあるランキングを行う情報提供Ｗｅｂサイトの普及に効果がある。
【００８０】
さらに、人気ランキングに掲示板が併設されている場合、情報提供者によって投稿された公開情報に異論がある閲覧者は、その公開情報に異論を唱える機会を与え、より信頼性のある情報を公開する情報提供Ｗｅｂサイトの普及に効果がある。
【図面の簡単な説明】
【図１】図１は、本実施例の構成を示す構成図である。
【図２】図２は、カテゴリツリー表示画面である。
【図３】図３は、ランキングテーマ一覧表示画面である。
【図４】図４は、エントリー一覧表示画面である。
【図５】図５は、提供情報表示画面である。
【図６】図６は、新規エントリーノミネート画面である。
【図７】図７は、提供情報を追加投稿する場合の追加投稿画面である。
【図８】図８は、カテゴリデータベース３０の構成を示すカテゴリデータテーブルである。
【図９】図９は、エントリーデータベース４０の構成を示すエントリーデータテーブルである。
【図１０】図１０は、提供情報データベース５０の構成を示す提供情報データテーブルである。
【図１１】図１１は、本実施例の情報提供Ｗｅｂサイトで公開された公開情報を閲覧する場合の前半部分の動作を示す流れ図である。
【図１２】図１２は、本実施例の情報提供Ｗｅｂサイトで公開された公開情報を閲覧する場合の後半部分の動作を示す流れ図である。
【図１３】図１３は、情報を追加し、この新規情報をランキングに参加させる場合についての流れ図である。
【図１４】図１４は、提供情報を追加投稿する場合の動作についての流れ図である。
【符号の説明】
１０        情報通信ネットワーク
２０        Ｗｅｂサーバ
２１        ホームページ
２１ａ      カテゴリツリー表示画面
２１ａ１    カテゴリツリー
２１ｂ      ランキングテーマ一覧表示画面
２１ｂ１    ランキングテーマ一覧
２１ｂ２    ランキングテーマ
２１ｃ      エントリー一覧表示画面
２１ｃ１    「新規ノミネート」ボタン
２１ｃ２    得票数
２１ｄ      提供情報表示画面
２１ｄ１    「この情報に返信する」ボタン
２１ｄ２    削除要求件数
２１ｄ３    「削除要求」ボタン
２１ｅ      新規エントリーノミネート画面
２１ｆ      追加投稿画面
３０        カテゴリデータベース
３１        カテゴリ情報
３２        ランキングテーマ
４０        エントリーデータベース
４１        エントリー情報
４２        エントリーＩＤ
４３        ポイント
４４        所属
５０        提供情報データベース
５１        提供情報
５３        提供情報本文
５４        削除要求データ
６０        ユーザ端末
【図１】
2004326289.tif 000003
【図２】
2004326289.tif 000004
【図３】
2004326289.tif 000005
【図４】
2004326289.tif 000006
【図５】
2004326289.tif 000007
【図６】
2004326289.tif 000008
【図７】
2004326289.tif 000009
【図８】
2004326289.tif 000010
【図９】
2004326289.tif 000011
【図１０】
2004326289.tif 000012
【図１１】
2004326289.tif 000013
【図１２】
2004326289.tif 000014
【図１３】
2004326289.tif 000015
【図１４】
2004326289.tif 000016